(57)【要約】【課題】小型で防塵性および防水性に優れ、長期間スムーズなオンオフ動作が得られる信頼性の高いレバースイッチを提供する。【解決手段】ベース部１上に円筒状のボス部２が形成され、このボス部２の内側にコイル１２、固定接点１６、可動接点１７を含むスイッチ機構部１１が収容される。ボス部２の上面開口にはこれを覆うように円板部３が配置され、円板部３はボス部２を中心として回転移動可能に設けられ、円板部３の外周縁にはレバー部４が形成される。円板部３の外周縁には、ボス部２の外周面を囲む筒状のスカート部５が下向きに突出形成され、このスカート部５の下端とベース部１の表面との間に形成される隙間Ｇ１に、外周に溝部７を有するパッキン６が設置されるものとする。【選択図】図１
2005302647.tif 000002
【特許請求の範囲】
【請求項１】
ベース部と、
上記ベース部上に形成された円筒状のボス部と、
上記ボス部の上面開口を覆うように配置されるとともに、上記ボス部を中心として回転移動可能に設けられた円板部と、
上記円板部を回転移動させる手段として該円板部の外周縁に一体に形成されたレバー部と、
上記円板部の外周縁から下向きに突出形成されるとともに、上記ボス部の外周面を囲む筒状のスカート部と、
上記スカート部の下端と上記ベース部の表面との間に形成される隙間に設置されるとともに、外周に溝部を有するパッキンと、
上記ボス部の外周面に設けられるとともに、そのボス部外周面の周方向に沿って環状に形成された係合溝と、
上記パッキンの内側に配置されるとともに、上記円板部の裏面から下向きに突出形成され、上記ボス部外周面の係合溝に摺動可能に係合する係合爪と、
上記ボス部の内側に収容されるとともに、上記円板部の回転移動によりスイッチオンまたはスイッチオフの動作状態となるスイッチ機構部と
を有し、
上記スイッチ機構部は、
上記ボス部の内側に収容されるとともに、上記レバー部の操作により上記円板部が回転移動したときに、その回転移動方向に捩れ、この捩れの弾力で上記円板部および上記レバー部を元の中立位置に戻すコイルバネと、
上記ボス部の内側底面に配置されるとともに、共通固定接点部とこの共通固定接点部の両側に配置された左右一対のサイド固定接点部とを備える固定接点と、
上記固定接点の上方に配置されるとともに、上記共通固定接点部に対応する共通可動接点バネ片と上記左右一対のサイド固定接点部に対応する左右一対のサイド固定接点部とを備える可動接点と、
上記円板部の裏面から下向きに突出形成されるとともに、上記共通可動接点バネ片を上記共通固定接点部に向かって常時押圧し接触させる押圧ロッドと、
上記円板部の裏面から下向きに突出形成されるとともに、上記円板部の回転移動により上記左右いずれか一方のサイド可動接点バネ片に接近して当接し、そのサイド可動接点バネ片を対応する上記サイド固定接点部に押圧し接触させる押圧カムとを有すること
を特徴とする防塵防水スイッチ。
【請求項２】
上記外周に溝部を有するパッキンは、その外周断面がＶ溝形状のリップパッキンからなることを特徴とする請求項１に記載の防塵防水レバースイッチ。
【請求項３】
上記押圧カムは、その両側端部の下側に、テーパ状部が形成され、
上記左右一対のサイド可動接点バネ片は、その長手方向中央付近に上向きの山形突起が突出形成されるとともに、この山形突起が上記押圧カムの回転移動進路上に配置されてなり、
上記円板部が回転移動すると、上記押圧カムが上記左右いずれか一方のサイド可動接点バネ片の山形突起に対して横方向から接近し、その山形突起を下方に押し下げて乗り越えようとするときに、その山形突起に上記押圧カムのテーパ形状部が当接すること
を特徴とする請求項１に記載の防塵防水レバースイッチ。
【請求項４】
上記コイルバネは、その上下端部がコイルバネ中心軸線に向かって内側に折り曲げ形成されてなること
を特徴とする請求項１に記載の防塵防水レバースイッチ。
【発明の詳細な説明】
【技術分野】
【０００１】
本発明は、車両ドアに内蔵される電動式ウインドのリミッタースイッチ等として利用される防塵防水性のレバースイッチに関する。
【背景技術】
【０００２】
従来、この種のレバースイッチとしては、例えば、特許文献１に開示されたものが知られている。図８は、同文献１のレバースイッチの説明図である。尚、この図８は同文献１の図１と図２に相当する。また、説明の便宜上、この図８中の符号は同文献１の図１および図２と等しいものとした。
【０００３】
同文献１のレバースイッチは、図８のように、円板部（３）の縁にレバー部（２）が一体に設けられ、その円板部（３）の下方に可動接点バネ片（８ａ、８ｂ）が配置され、さらに、この可動接点バネ片（８）の下方に固定接点（Ｃ１、Ｃ２）が配置される構造となっている。
【０００４】
そして、同文献１のレバースイッチにおいては、レバー部（２）に力が作用することで円板部（３）がその中心軸線回りに回転移動する。そうすると、円板部（３）下面の突起（４）が可動接点バネ片（８ａ又は８ｂ）の山形突起（９ａ又は９ｂ）に接近し、この円板部下面の突起（４）によりその山形突起（９ａ又は９ｂ）が下方に押圧される。これにより、可動接点バネ片（８ａ又は８ｂ）が撓んで固定接点（Ｃ１又はＣ２）に接触することで、スイッチオンの動作状態が得られるものとなっている。
【０００５】
しかし、上記のような従来のレバースイッチによると、回転移動した円板部（３）やレバー部（２）を元の中立位置に戻すためのバネ（１２）が円板部（３）の外周に張り出して設置されているため、その張り出したバネ（１２）の分だけレバースイッチ全体が大型にならざるを得ず、かかるバネがレバースイッチの大型化を招く要因となっている。
【０００６】
さらに、上記従来のレバースイッチにあっては、上記のようにバネ（１２）が外部に露出しているため、バネ（１２）が錆びやすい状態にあり、また、そのバネ（１２）に塵が詰まる可能性もある。もし、このバネ（１２）が錆びたりバネ（１２）に塵が詰まったりすると、そのバネ（１２）の機能が損なわれ、レバー部（２）が元の中立位置に戻り難くなる等、レバースイッチのオンオフ動作に支障が生じる。レバースイッチの使用条件によっては、上記バネ（１２）に付着した水分が凍結固化する場合も考えられ、この場合もバネ（１２）に塵が詰まった場合と同様にレバースイッチのオンオフ動作に支障が生じる。
【０００７】
また、上記従来のレバースイッチによると、回転移動する円板部（３）の上面にカバー（１３）が被せられているが、このカバー（１３）と円板部（３）との間の摺動隙間に塵が入り込む可能性がある。このような摺動隙間に塵が入り込むと、円板部（３）がスムーズに回転移動できなくなる、または、円板部（３）がロックされて完全に回転移動できなくなる等、レバースイッチのオンオフ動作に支障が生じる。
【０００８】
【特許文献１】特開２０００−３３１５６７号公報（図１と図２参照）
【発明の開示】
【発明が解決しようとする課題】
【０００９】
本発明は上記問題点を解決するためになされたもので、その目的とするところは、小型で防塵性および防水性に優れ、長期間スムーズなオンオフ動作が得られる信頼性の高いレバースイッチを提供することにある。
【課題を解決するための手段】
【００１０】
上記目的を達成するために、本発明は、ベース部と、上記ベース部上に形成された円筒状のボス部と、上記ボス部の上面開口を覆うように配置されるとともに、上記ボス部を中心として回転移動可能に設けられた円板部と、上記円板部を回転移動させる手段として該円板部の外周縁に一体に形成されたレバー部と、上記円板部の外周縁から下向きに突出形成されるとともに、上記ボス部の外周面を囲む筒状のスカート部と、上記スカート部の下端と上記ベース部の表面との間に形成される隙間に設置されるとともに、外周に溝部を有するパッキンと、上記ボス部の外周面に設けられるとともに、そのボス部外周面の周方向に沿って環状に形成された係合溝と、上記パッキンの内側に配置されるとともに、上記円板部の裏面から下向きに突出形成され、上記ボス部外周面の係合溝に摺動可能に係合する係合爪と、上記ボス部の内側に収容されるとともに、上記円板部の回転移動によりスイッチオンまたはスイッチオフの動作状態となるスイッチ機構部とを有し、上記スイッチ機構部は、上記ボス部の内側に収容されるとともに、上記円板部が回転移動したときに、その回転移動方向に捩れ、この捩れの弾力で上記円板部および上記レバー部を元の中立位置に戻すコイルバネと、上記ボス部の内側底面に配置されるとともに、共通固定接点部とこの共通固定接点部の両側に配置された左右一対のサイド固定接点部とを備える固定接点と、上記固定接点の上方に配置されるとともに、上記共通固定接点部に対応する共通可動接点バネ片と上記左右一対のサイド固定接点部に対応する左右一対のサイド固定接点部とを備える可動接点と、上記円板部の裏面から下向きに突出形成されるとともに、上記共通可動接点バネ片を上記共通固定接点部に向かって常時押圧し接触させる押圧ロッドと、上記円板部の裏面から下向きに突出形成されるとともに、上記円板部の回転移動により上記左右いずれか一方のサイド可動接点バネ片に接近して当接し、そのサイド可動接点バネ片を対応する上記サイド固定接点部に押圧し接触させる押圧カムとを有することを特徴とするものである。
【００１１】
上記本発明において、上記パッキンは、その外周断面がＶ溝形状のリップパッキンからなるものとしてよい。
【００１２】
上記本発明においては、例えば、上記押圧カムについては、その両側端部の下側に、テーパ状部が形成され、上記左右一対のサイド可動接点バネ片については、その長手方向中央付近に上向きの山形突起が突出形成されるとともに、この山形突起が上記押圧カムの回転移動進路上に配置されるものとしてよい。このような場合を採用した場合は、上記円板部が回転移動すると、上記押圧カムが上記左右いずれか一方のサイド可動接点バネ片の山形突起に対して横方向から接近し、その山形突起を下方に押し下げて乗り越えようとするときに、その山形突起に上記押圧カムのテーパ形状部が当接する。
【００１３】
上記本発明において、上記コイルバネは、その上下端部がコイルバネ中心軸線に向かって内側に折り曲げ形成されてなるものとしてよい。
【発明の効果】
【００１４】
本発明にあっては、上記の通りスカート部の下端とベース部の表面との間の隙間に、外周に溝部を有するパッキンが設置される構成と、このパッキンの内側で、円板部の裏面から下向きに突出形成された係合爪が、ボス部外周面の係合溝に摺動可能に係合する構成を採用した。このため、係合爪と係合溝との係合部分が摺動部となるが、この摺動部はパッキンの内側に位置することと、そのパッキン外周の溝部で塵が捕獲されることから、かかる摺動部に塵が入り込み難く、防塵性に優れ、その摺動部に塵が入り込むことによる不具合、すなわち塵による円板部の回転移動不良を効果的に防止することができ、長期間スムーズなレバースイッチのオンオフ動作が得られる。
【００１５】
また、本発明にあっては、円板部で上面開口を覆ったボス部の内側に、コイルバネが収容される構成を採用したため、円板部の周囲にコイルバネが張り出すことはなく、この種のレバースイッチの小型化も図れる。
【００１６】
さらに、本発明にあっては、コイルバネを収容したボス部の外周面が筒状のスカート部で囲まれ、このスカート部の下端とベース部の表面との間の隙間に、パッキンが設置される構成を採用した。このため、そのパッキンとボス部の両者によってコイルバネ側への塵や水分の入り込みが阻止されることから、防塵性と防水性に優れ、コイルバネの錆びや凍結、並びに、コイルバネに塵が詰まること等を効果的に防止することができ、よって、コイルバネに塵が詰まること等によって円板部およびレバー部が元の中立位置に戻らなくなるといった不具合も発生し難く、より一層、長期間スムーズなレバースイッチのオンオフ動作が得られる。
【発明を実施するための最良の形態】
【００１７】
以下、本発明を実施するための最良の形態について、添付した図面を参照しながら詳細に説明する。
【００１８】
図１は本発明の一実施形態である防塵防水スイッチの断面図、図２は図１のＡ−Ａ線断面図、図３は図１に示す防塵防水スイッチの分解図、図４は図１に示す防塵防水スイッチの円板部およびレバー部の説明図、図５と図６は図１に示す防塵防水スイッチのオンオフ動作状態の説明図、図７は図１の防塵防水スイッチにおける固定接点と可動接点の位置関係の説明図である。
【００１９】
図１の防塵防水レバースイッチＳはベース部１を有し、ベース部１上には円筒状のボス部２が一体に形成されている（図３参照）。このボス部２の上面開口２ａには、ボス部２を中心として回転移動可能に円板部３が配置されており、この円板部３によりボス部２の上面開口２ａは覆われている。
【００２０】
上記円板部３の外周縁３ａにはレバー部４が一体に形成されている（図４参照）。このレバー部４は円板部３の外周縁３ａからその径方向に突出形成されている。このレバー部４に対して円板部３の周方向から所定の力が作用すると、その力がレバー部４を介して円板部３に伝達され、これにより円板部３がボス部２を中心として回転移動する。
【００２１】
尚、円板部３が回転移動できる角度範囲については、本実施形態では図５（ａ）に示すレバー部４の位置を中立位置として、左右両方向にそれぞれ７０度（図５（ｂ）、（ｃ）参照）としているが、これは一例であり、その角度範囲は必要に応じて適宜変更することができる。
【００２２】
上記円板部３の裏面、すなわちベース部１の表面と対向する面側にはスカート部５が設けられている。このスカート部５は、円板部３の外周縁３ａから下向きに垂れ下がるように突出形成されている。また、このスカート部５は、上記ボス部２の外周面２ｂを囲むように、円板部３の外周縁３ａに沿って筒状に形成されている（図４（ａ）参照）。
【００２３】
スカート部５の下端５ａとベース部１の表面との間には隙間Ｇ１が形成され、この隙間Ｇ１にパッキン６が設置されている。尚、このパッキン６はボス部２最下部の外周面２ｂに嵌め込み装着されている。また、上記隙間Ｇ１はスカート部５の周方向に沿ってリング状に設けられるため、この隙間Ｇ１のリング形状に合わせて上記パッキン６もリング状に形成されたものが用いられる（図３（ｃ）参照）。
【００２４】
パッキン６の外周には溝部７が設けられている。この溝部７はパッキンのリング周方向に沿って切り込み形成されている。この種の溝部７を外周に有するパッキン６としては例えばＶ型、Ｕ型またはＸ型リップパッキンがある。
【００２５】
本実施形態においては、かかる溝付きパッキン６の一例として、Ｖ型リップパッキンを採用した。このＶ型リップパッキンは、その外周がＶ字状に分割して上下一対のリップ部６−１、６−２となるとともに、その両リップ部６−１、６−２間のＶ字状隙間Ｇ２がパッキン外周の溝部７に相当する。
【００２６】
尚、図示は省略するが、Ｕ型リップパッキンは、その外周がＵ字状に分割して上下一対のリップ部となるとともに、この両リップ部間のＵ字状の隙間がパッキン外周の溝部に相当する。
【００２７】
また、図示は省略するが、Ｘ型リップパッキンは、Ｖ型リップパッキンのような上下一対のリップ部がパッキン内外周に形成されるとともに、そのパッキン外周側に形成される両リップ部間のＶ字状の隙間がパッキン外周の溝部に相当する。
【００２８】
本実施形態で採用した溝付きパッキン６、すなわちＶ型リップパッキンは、スカート部５の下端でベース部１の表面に押し付けられている。
【００２９】
具体的には、上記スカート部５の最下端内面には、同スカート部５の筒周方向に沿って環状に段部８が形成され、この段部８がＶ型リップパッキン６の上側リップ部６−１に当接し、該段部８を介してスカート部５がＶ型リップパッキン６をベース部１の表面に押し付けている。この点についてはＵ型またはＸ型リップパッキンを採用した場合でも同様である。
【００３０】
ボス部２の外周面２ｂには係合溝９が設けられており、この係合溝９はボス部外周面２ｂの周方向に沿って環状に形成されている。
【００３１】
一方、図４（ａ）に示したように、円板部３の裏面には係合爪１０が複数（本例では４つ）設けられている。これら４つの係合爪１０は、いずれも、円板部３裏面から下向きに垂れ下がるように突出形成されている。
【００３２】
また、上記のような４つの係合爪１０は、いずれも、パッキン６の内側、具体的には円板部３のスカート部５から同円板部３の中心に向かって少し内側に入った位置に設けられている。さらに、この各係合爪１０は、円板部３の中心軸線回りの円周上に等間隔で配置されている。
【００３３】
そして、上記４つの係合爪１０は、いずれも、その先端側がボス部外周面２ｂの方向に向かってＬ字状に折り曲げ形成されるとともに、この先端Ｌ字折り曲げ部１０ａが、図１に示すボス部外周面２ｂの係合溝９（図３参照）に摺動可能に係合するように構成されている。
【００３４】
本実施形態では、上記のような４つの係合爪１０とボス部外周面２ｂの係合溝９との係合により、ベース部１側に円板部３がワンタッチで取り付けられ、ベース部１からの円板部３の脱落が防止されている。
【００３５】
図１に示したように、ボス部２の内側にはスイッチ機構部１１が収容されており、このスイッチ機構部１１は円板部３の回転移動によりスイッチオンまたはスイッチオフの動作状態となる。以下、このスイッチ機構部１１の具体的な構成について説明する。
【００３６】
ボス部２の内側にはコイルバネ１２が収容されている。上述の角度範囲内で回転移動したレバー部４と円板部３は、このボス部２内のコイルバネ１２により、図５（ａ）に示す元の中立位置に自動的に戻る構造となっている。
【００３７】
このレバー部４と円板部３が中立位置に戻る構造を具体的に説明すると、図１に示したように、ボス部２の内側底面には第１の湾曲突起１３が立設されている（図３参照）。この第１の湾曲突起１３は、ボス部２を中心とした円周上に設けられるとともに、その円周に沿って扇状に開いて湾曲した形状となっている（図５参照）。
【００３８】
また、第１の湾曲突起１３の外周面側には、更に別の第２の湾曲突起１４が設けられている。この第２の湾曲突起１４は、円板部３裏面から下向きに垂れ下がるように突出形成されている。また、この第２の湾曲突起１４も、第１の湾曲突起１３と同様に、ボス部２を中心とした円周上に設けられるとともに、その円周に沿って扇状に開いて湾曲した形状となっている（図５参照）。
【００３９】
図５（ａ）に示した通り、上記第１および第２の湾曲突起１３、１４の扇状の開き角度は略一致するように形成されており、円板部３とレバー部４が図５（ａ）に示す中立位置にあるときに、両湾曲突起１３、１４の両側端部１３ａ、１３ｂ、１４ａ、１４ｂは、殆どずれることなく一致するようになっている。そして、この一致の状態から図５（ｂ）または（ｃ）のように円板部３とレバー部４が左右いずれか一方向に回転移動すると、第１の湾曲突起１３に対し第２の湾曲突起１４側が周方向にずれるように移動する。
【００４０】
また、本実施形態においては、図４（ａ）に示したように、第２の湾曲突起１４と同じ円周上に、更に別の第３の湾曲突起１５を設けている。この第３の湾曲突起１５は、円板部３の中心軸線を介して第２の湾曲突起１４と１８０度対向する位置に設けられ、かつ第２の湾曲突起１４と同じように、円板部３裏面から下向きに垂れ下がるように突出形成されている。この第３の湾曲突起１５は、第２の湾曲突起１４と相俟って、後述するコイルバネ１２の位置決め手段として機能する。
【００４１】
そして、本実施形態の場合、ボス部２の内側では、第２および第３の湾曲突起１４、１５を囲むようにして、これらの湾曲突起１４、１５の外周部側に、上記コイルバネ１２がセットされる構成を採っている。
【００４２】
上記のようにセットされたコイルバネ１２の上端部１２ａは、そのバネ中心軸線に向かって内側に折り曲げ形成されて（図３（ｄ）参照）、第１および第２の両湾曲突起１３、１４の一側端部１３ａ、１４ａに引っ掛けられている（図５（ａ）参照）。同コイルバネ１２の下端部１２ｂは、同様に、そのバネ中心軸線に向かって内側に折り曲げ形成されて、湾曲突起１３、１４の他の側端部１３ｂ、１４ｂに引っ掛けられている。
【００４３】
上記の如く第１および第２の湾曲突起１３、１４の両側端部１３ａ、１３ｂ、１４ａ、１４ｂが一致した状態、すなわち図５（ａ）のように円板部３とレバー部４が中立位置にある状態において、そのレバー部４に所定の力が作用して、図５（ｂ）のようにレバー部４と一体に円板部３が例えば時計回りに回転移動すると、これと同じ方向（時計回り）に円板部３裏面の係合爪１０がボス部外周面２ｂの係合溝９に沿って摺動するとともに、第２の湾曲突起１４も同方向に回転移動する。
【００４４】
このとき、コイルバネ１２の上端部１２ａは、図５（ｂ）のように第１の湾曲突起１３の一側端部１３ａに引っ掛かって移動せず、同コイルバネ１２の下端部１２ｂだけが第２の湾曲突起１４で押されてコイルバネ周方向に移動する。このため、コイルバネ１２は、その移動しない上端部１２ａを固定点として、円板部３の回転移動方向（時計回り）に捩れる。
【００４５】
上記のようにコイルバネ１２が捩れた状態において、レバー部４に作用していた上記力が解除されると、その捩れていたコイルバネ１２は自己の捩れによる弾力で元の状態に復元する。このときの復元力、すなわち、コイルバネ１２の捩れの弾力により、第２の湾曲突起１４がコイルバネ１２の下端部１２ｂで押し戻され、円板部３とレバー部４が自動的に図５（ａ）の元の中立位置に戻るように移動する。
【００４６】
一方、図５（ａ）のように円板部３とレバー部４が中立位置にある状態で、上記力とは逆向きの力がレバー部４に作用して、図５（ｃ）のようにレバー部４と一体に円板部３が上記とは逆の反時計回りに回転移動すると、これと同じ方向（反時計回り）に円板部３裏面の係合爪１０がボス部外周面２ｂの係合溝９に沿って摺動するとともに、第２の湾曲突起１４も同方向に回転移動する。
【００４７】
このとき、コイルバネ１２の下端部１２ｂは、図５（ｃ）のように第１の湾曲突起１３の一側端部１３ａとは反対の他の側端部１３ｂに引っ掛かって移動せず、同コイルバネ１２の上端部１２ａだけが第２の湾曲突起１４で押されてコイルバネ周方向に移動する。そのため、コイルバネ１２は、その移動しない下端部１２ｂを固定点として、円板部３の回転移動方向（反時計回り）に捩れる。
【００４８】
この状態において、レバー部４に作用していた上記力が解除されると、上記と同様なコイルバネ１２の復元力による押し戻し作用により、円板部３とレバー部４が自動的に図５（ａ）の元の中立位置に戻るように移動する。
【００４９】
ところで、コイルバネ１２は捩れるとその中心軸線方向に向かって内側に収縮する。このため、コイルバネ１２とその内側に位置する第２および第３の湾曲突起１４、１５との間には、予めコイルバネ１２の収縮量を見込んで、その収縮量に応じた隙間Ｇ３が設けられている。従って、第２および第３の湾曲突起１４、１５がコイルバネ１２の収縮動作を妨げることはない。
【００５０】
図１に示したように、ボス部２の内側底面には固定接点１６が露出するように固定されている。固定接点１６は、図３（ｆ）に示したように、共通固定接点部１６−１と、この共通固定接点部１６−１の両側に配置された左右一対のサイド固定接点部１６−２、１６−３とから構成されている。
【００５１】
この固定接点１６において、その共通固定接点部１６−１は、ボス部２の中心軸線を通るように配置され、一方、左右一対のサイド固定接点部１６−２、１６−３は、双方ともボス部２を中心軸線周りの円周上に配置されている（図３（ａ）と図７参照）。
【００５２】
尚、この固定接点１６を構成する共通固定接点部１６−１と左右一対のサイド固定接点部１６−２、１６−３は、いずれも互いに連結されておらず、電気的に独立している。
【００５３】
ボス部２の内側には可動接点１７が設けられている。この可動接点１７は上記固定接点１６の上方に配置されるとともに、図３（ｅ）に示したように、共通可動接点バネ片１７−１と、この共通可動接点バネ片１７−１の両側に配置された左右一対のサイド可動接点バネ片１７−２、１７−３とから構成されている。
【００５４】
この可動接点１７において、その共通可動接点バネ片１７−１は、上記固定接点１６の共通固定接点部１６−１と対応するものであって、共通固定接点部１６−１と同様に、ボス部２の中心軸線を通るように配置されている（図７参照）。
【００５５】
一方、上記左右一対のサイド可動接点バネ片１７−２、１７−３は、上記固定接点部１６のサイド固定接点部１６−１、１６−２と一対一で対応するものであって、サイド固定接点部１６−１、１６−２と同じ円周上に配置されている（図７参照）。
【００５６】
尚、この可動接点１７を構成する共通可動接点バネ片１７−１と左右一対のサイド可動接点バネ片１７−２、１７−３は、それぞれの後端側が一つに連結されて、電気的に導通している。
【００５７】
上記共通可動接点バネ片１７−１と上記共通固定接点部１６−１は、常時、互いに接触するように構成されている。
【００５８】
すなわち、本実施形態においては、図１に示したように、円板部３側からボス部２の内側に押圧ロッド１８が挿入配置される構造を採っている。この押圧ロッド１８は、円板部３裏面の中心部に設けたものであって、かつ、該円板部３裏面から下向きに垂れ下がるように形成されて、図２に示したようにボス部２の中心軸線上に配置される構造となっている。
【００５９】
さらに、本実施形態においては、上記共通可動接点バネ片１７−１は、その根元（後端側）から斜め上方に少し浮き上がるように形成されるとともに、その共通可動接点バネ片１７−１の長手方向中央付近に、上向きの山形突起１９が突出形成される構造を採っている。
【００６０】
そして、本実施形態では、この共通可動接点バネ片１７−１の山形突起１９が押圧ロッド１８の先端で押圧されることにより、共通可動接点バネ片１７−１が弾性変形し、その共通可動接点バネ片１７−１の浮き上がりがなくなり、かつ、共通可動接点バネ片１７−１の下面が共通固定接点部１６−１の表面に常時接触するように構成している。
【００６１】
この一方、サイド可動接点バネ片１７−２、１７−３とサイド固定接点部１６−２、１６−３については、円板部３の回転角度に応じて、選択的に接触または非接触の状態となるように構成されている。
【００６２】
すなわち、本実施形態においては、図１に示したように、円板部３側からボス部２の内側に押圧カム２０が挿入配置される構造を採っている。この押圧カム２０は、上述した押圧ロッド１８と同じように、円板部３裏面から下向きに垂れ下がるように突出形成されている（図４参照）。
【００６３】
また、この押圧カム２０は、図２に示したようにサイド可動接点バネ片１７−２、１７−３と同一の円周上に配置されるとともに、その円周に沿って扇状に開いて湾曲した形状に形成されて、両サイド可動接点バネ片１７−２、１７−３の中間に配置されている。
【００６４】
さらに、本実施形態においては、左右いずれのサイド可動接点バネ片１７−２、１７−３は、いずれもその根元（後端側）から斜め上方に少し浮き上がるように形成されるとともに（図６参照）、サイド可動接点バネ片１７−２、１７−３の長手方向中央付近に上向きの山形突起１９が突出形成され、このサイド可動接点バネ片１７−２、１７−３の山形突起１９が押圧カム２０の回転移動進路上に配置されるものとしている。
【００６５】
本実施形態のスイッチ機構部１１は、図５（ａ）に示す円板部３およびレバー部４の位置を中立位置とし、この中立位置からレバー部４と一体に円板部３がボス部２を中心として例えば時計回りに回転移動すると、これと一体に押圧カム２０も同方向に回転移動するものとなる。
【００６６】
そして、この回転移動する押圧カム２０は、図６（ａ）に示すように右側サイド可動接点バネ片１７−２の山形突起１９に対して横方向から接近し、その山形突起１９を下方に押し込んで図６（ｂ）に示すように乗り越えようとする。
【００６７】
このとき、山形突起１９に作用する下向きの力によって、右側サイド可動接点バネ片１７−２が弾性変形し、右側サイド可動接点バネ片１７−２の浮き上がりがなくなり、右側サイド可動接点バネ片１７−２の先端部下面が右側サイド固定接点部１６−２の表面に接触し、右側サイド可動接点バネ片１７−２と右側サイド固定接点部１６−２が電気的に導通する。
【００６８】
そうすると、右側サイド可動接点バネ片１７−２と共通可動接点バネ片１７−１とを介し、右側サイド固定接点部１６−２と共通固定接点部１６−１の両者が電気的に接続された状態となる。これが本実施形態のスイッチ機構部１１におけるスイッチオンの動作状態である。
【００６９】
また、本実施形態のスイッチ機構部１１は、上記のように右側サイド可動接点バネ片１７−２とこれに対応する右側サイド固定接点部１６−２とが接触した状態から、円板部３とレバー部４が左周り（逆方向）に回転移動して元の中立位置に戻ろうとすると、押圧カム２０が右側サイド可動接点バネ片１７−２の山形突起１９から離れ、その山形突起１９にそれまで作用していた下向きの力がなくなる。
【００７０】
そうすると、右側サイド可動接点バネ片１７−２が弾性復帰して元の状態に浮き上がって右側サイド固定接点部１６−２から離れ、これにより、上記のようなスイッチオンの状態が解除される。これが本実施形態のスイッチ機構部１１におけるスイッチオフの動作状態である。
【００７１】
この一方、レバー部４が中立位置から上記とは逆に反時計周りに回転移動すると、押圧カム２０は、今度は左側サイド可動接点バネ片１７−３の山形突起１９に対して横方向から接近し、その山形突起１９を下方に押し込んで乗り越えようとする。
【００７２】
このとき、上記と同様に、左側サイド可動接点１７−３の山形突起１９に作用する下向きの力で左側サイド可動接点バネ片１７−３が弾性変形し、左側サイド可動接点バネ片１７−３の浮き上がりがなくなり、左側サイド可動接点バネ片１７−３の先端部下面が左側サイド固定接点部１６−３の表面に接触して、左側サイド可動接点バネ片１７−３と左側サイド固定接点部１６−３とが電気的に導通する。
【００７３】
そうすると、左側サイド可動接点バネ片１７−３と共通可動接点バネ片１７−１とを介して、左側サイド固定接点部１６−３と共通固定接点部１６−１の両者が電気的に接続された状態となる。これも本実施形態のスイッチ機構部１１におけるスイッチオンの動作状態である。尚、このスイッチオンの動作状態は前述したスイッチオンの動作状態と同様に解除される。
【００７４】
以上のように、本実施形態のスイッチ機構部１１は、レバー部４を操作して円板部３を回転移動させることにより、スイッチオンまたはスイッチオフの動作状態となるものである。
【００７５】
本実施形態のスイッチ機構部１１においては、図６のように押圧カム２０の一側端部はその下側がテーパ状に形成され、このテーパ形状部２１が右側サイド可動接点バネ片１７−２の山形突起１９に当接するように構成されている。また、押圧カム２０の他の側端部も、その下側がテーパ状に形成され、このテーパ形状部２１が左側サイド可動接点バネ片１７−３の山形突起１９に当接するという構造を採っている。このような構成を採用したのは、押圧カム２０が右側サイド可動接点バネ片１７−２または左側サイド可動接点バネ片１７−３の山形突起１９をスムーズに下方に押し下げて乗り越えられるようにするためである。
【００７６】
以上説明したように、本実施形態の防塵防水レバースイッチＳにあっては、スカート部下端５ａとベース部１の表面との間の隙間Ｇ１に、Ｖ型リップパッキンのように外周に溝部７を有するパッキン６が設置される構成と、このパッキン６の内側で、円板部３の裏面から下向きに突出形成された係合爪１０が、ボス部外周面２ｂの係合溝９に摺動可能に係合する構成を採用した。このため、係合爪１０と係合溝９との係合部分が摺動部となるが、この摺動部はパッキン６の内側に位置することと、そのパッキン６外周の溝部７で塵が捕獲されることから、かかる摺動部に塵が入り込み難く、防塵性に優れ、その摺動部に塵が入り込むことによる不具合、すなわち塵による円板部３の回転移動不良を効果的に防止することができ、長期間スムーズなオンオフ動作が得られる。
【００７７】
また、本実施形態の防塵防水レバースイッチＳによると、円板部３で上面開口を覆ったボス部２の内側に、コイルバネ１２が収容される構成を採用した。このため、円板部３の周囲にコイルバネ１２が張り出すことはなく、この種のレバースイッチＳの小型化も図れる。
【００７８】
本実施形態の防塵防水レバースイッチＳにあっては、コイルバネ１２を収容したボス部２の外周面が筒状のスカート部５で囲まれ、このスカート部５の下端５ａとベース部１の表面との間の隙間Ｇ１に、パッキン６が設置される構成を採用した。このため、そのパッキン６とボス部２の両者によってコイルバネ１２側への塵や水分の入り込みが阻止されることから、防塵性と防水性に優れ、コイルバネ１２の錆びや凍結、並びに、コイルバネ１２に塵が詰まること等を効果的に防止することができ、よって、コイルバネ１２に塵が詰まること等によって円板部３およびレバー部４が元の中立位置に戻らなくなるといった不具合も発生し難く、より一層、長期間スムーズなオンオフ動作状態が得られる。
【００７９】
さらに、本実施形態の防塵防水レバーにおいては、溝付きパッキン６としてＶ型リップパッキンを採用し、このＶ型リップパッキン６の上側リップ部６−１がスカート部５の下端でベース部１の表面に向かって押圧されるる構成を採用した。このため、溝のないパッキンを用いた場合に比べ、比較的小さな力でパッキンによるシール効果が得られることから、スカート部５とパッキン６との間の摺動摩擦抵抗も少なくて済み、この点でも、円板部３とレバー部４の回転移動がスムーズなものとなり、スムーズなオンオフ動作が得られる。
【００８０】
また、本実施形態の防塵防水レバースイッチＳにあっては、押圧カム２０の一側端部または他の側端部はその下側がテーパ状に形成され、このテーパ形状部２１が右側サイド可動接点バネ片１７−２または左側サイド可動接点バネ片１７−３の山形突起１９にそれぞれ当接するように構成した。このため、例えば、押圧カム２０が右側サイド可動接点バネ片１７−２の山形突起１９を下方に押し下げて乗り越える際に、スムーズに乗り越えることができ、滑らかなレバースイッチのオンオフ動作が得られるといった利点もある。
【図面の簡単な説明】
【００８１】
【図１】図１は本発明の一実施形態である防塵防水スイッチの断面図である。
【図２】図２は図１のＡ−Ａ線断面図である。
【図３】図３は図１の防塵防水スイッチの分解図であり、図中の（ａ）はベース部の平面図と側面図、（ｂ）はカバー部とレバー部の平面図と側面図、（ｃ）はパッキンの平面図と側面図、（ｄ）はコイルの平面図と側面図、（ｅ）は可動接点の平面図、（ｆ）は固定接点の平面図と側面図である。
【図４】図４は図１の防塵防水スイッチの円板部およびレバー部の説明図であり、図中の（ａ）はその裏面図、（ｂ）は（ａ）のＢ−Ｂ線断面図、（ｃ）は（ａ）のＣ−Ｃ線断面図、（ｄ）は（ａ）中のＤ−Ｄ線断面図である。
【図５】図５は、図１に示す防塵防水スイッチのオンオフ動作状態の説明図であり、図中の（ａ）はレバー部が中立位置にあるときの状態、（ｂ）はレバー部が中立位置から時計回りに７０度回転移動した状態、（ｃ）はレバー部が中立位置から反時計回りに７０度回転移動した状態の説明図。
【図６】図５は、図１に示す防塵防水スイッチのオンオフ動作状態の説明図であり、図中の（ａ）は、押圧カムがサイド可動接点バネ片の山形突起に接近し最初に接触した時点（スイッチオン開始時）の説明図、（ｂ）は、押圧カムがサイド可動接点バネ片の山形突起を下方に最大に押し込んだ状態の説明図である。
【図７】図７は図１の防塵防水スイッチにおける固定接点と可動接点の位置関係の説明図である。
【図８】従来の防塵防水スイッチの説明図であり、図中の（ａ）は防塵防水スイッチの正面透視図、（ｂ）は（ａ）のＥ−Ｅ線断面図。
【符号の説明】
【００８２】
１  ベース部
２  ボス部
２ａ  ボス部の上面開口
２ｂ  ボス部の外周面
３  円板部
３ａ  円板部の外周縁
４  レバー部
５  スカート部
５ａ  スカート部の下端
６  パッキン
６−１  上側リップ部
６−２  下側リップ部
７  パッキン外周の溝部
８  スカート部最下端内面の段部
９  係合溝
１０  係合爪
１０ａ  係合爪の先端折り曲げ部
１１  スイッチ機構部
１２  コイルバネ
１２ｂ  コイルバネの上端部
１２ｂ  コイルバネの下端部
１３  第１の湾曲突起
１３ａ  第１の湾曲突起の一側端部
１３ｂ  第１の湾曲突起の他の側端部
１４  第２の湾曲突起
１４ａ  第２の湾曲突起の一側端部
１４ｂ  第２の湾曲突起の他の側端部
１５  第３の湾曲突起
１６  固定接点
１６−１  共通固定接点部
１６−２  右側サイド固定接点部
１６−３  左側サイド固定接点部
１７  可動接点
１７−１  共通可動接点バネ片
１７−２  右側サイド可動接点バネ片
１７−３  左側サイド可動接点バネ片
１８  押圧ロッド
１９  山形突起
２０  押圧カム
２１  テーパ形状部
Ｇ１  隙間
Ｇ２  Ｖ字状隙間
Ｇ３  隙間
Ｓ  防塵防水レバースイッチ
【図１】
2005302647.tif 000003
【図２】
2005302647.tif 000004
【図３】
2005302647.tif 000005
【図４】
2005302647.tif 000006
【図５】
2005302647.tif 000007
【図６】
2005302647.tif 000008
【図７】
2005302647.tif 000009
【図８】
2005302647.tif 000010